(57)【特許請求の範囲】
【請求項１】
放送を受信する受信部と、
外部から入力された直流電圧を所定の発振周波数でスイッチングすることにより所定の電源電圧を生成して前記受信部に供給するコンバータと、
前記コンバータの近傍の温度を検出する温度検出部と、
前記受信部の受信周波数と前記温度検出部で検出された温度とに基づいて、前記コンバータの発振周波数を、該発振周波数の高調波ノイズが前記受信部の受信周波数に影響を及ぼさない周波数に変更するコントローラ
とを備えた受信装置。
【請求項２】
コンバータの発振周波数を可変する複数の抵抗を備え、
コントローラは、前記コンバータの発振周波数を前記複数の抵抗の中から１つの抵抗を選択して変更する
ことを特徴とする請求項１記載の受信装置。
【請求項３】
コンバータは、ＤＣ−ＤＣコンバータまたはＤＣ−ＡＣコンバータから成る
ことを特徴とする請求項１記載の受信装置。
【発明の詳細な説明】
【技術分野】
【０００１】
この発明は、例えばＤＣ−ＤＣコンバータまたはＤＣ−ＡＣコンバータのように、スイッチング素子のスイッチング動作によって発生される所定電圧を電源として動作する電源装置に関し、特に、この電源装置を利用してスイッチング素子のスイッチング動作によって発生する高調波ノイズに起因する受信障害を回避する受信装置に関する。
【背景技術】
【０００２】
外部から供給される直流電源によって動作する装置は、その内部で必要な電源電圧を作り出すために定電圧回路を備えている。このような装置においては、消費電力および発熱量を低減して小型化を実現するために、定電圧回路としてＤＣ−ＤＣコンバータが用いられている。また、自動車に搭載されるＡＶ（Audio Visual）機器のように、外部から供給される直流電圧より高い直流電圧を必要とする装置では、ＤＣ−ＤＣコンバータを用いて高い直流電圧が生成されている。さらに、ディスプレイ装置や自動車の前照灯に用いられる蛍光管のように、交流電源を必要とする装置では、外部から供給される直流電源を交流に変換するＤＣ−ＡＣコンバータ（「インバータ」と呼ばれる場合もある）が用いられている。
【０００３】
このようなＤＣ−ＤＣコンバータまたはＤＣ−ＡＣコンバータは、スイッチング素子の発振周波数（スイッチング周波数）およびその整数倍の周波数成分を含む高調波ノイズを輻射する。一方、ラジオ受信機は、微弱なレベルの電波を受信するため、その受信周波数と、ＤＣ−ＤＣコンバータまたはＤＣ−ＡＣコンバータから輻射される高調波ノイズの周波数が近いと、復調された音声にノイズが混入したり、放送信号が受信不能になったりする。
【０００４】
また、自動車に搭載されるラジオ受信機またはＡＶ機器といった機器の場合、動作時の機器の近傍の温度が広い範囲にわたるため、ＤＣ−ＤＣコンバータまたはＤＣ−ＡＣコンバータの発振周波数が温度によって変化することがあり、それに伴って、ＤＣ−ＤＣコンバータまたはＤＣ−ＡＣコンバータから輻射される高調波ノイズの周波数も変化することがある。
【０００５】
このようなＤＣ−ＤＣコンバータまたはＤＣ−ＡＣコンバータから輻射される高調波ノイズは、スイッチング素子およびその周辺回路を磁気的にシールドするだけでは容易に取り除くことができない。そこで、ＤＣ−ＤＣコンバータまたはＤＣ−ＡＣコンバータの発振周波数を可変にすることにより、ラジオ受信機の受信周波数がＤＣ−ＤＣコンバータまたはＤＣ−ＡＣコンバータから輻射される高調波ノイズの影響を受けないようにする技術が開発されている。
【０００６】
例えば、特許文献１は、ＡＭ放送に対する受信障害を解消できる自動車搭載用ＤＣ−ＤＣコンバータを開示している。このＤＣ−ＤＣコンバータは、その高調波ノイズがＡＭ放送の受信周波数の音声と干渉しないと推測されるスイッチング周波数を選択するように構成されており、例えば水晶発振周波数を逓減したものをＤＣ−ＤＣコンバータのスイッチング周波数の基準に用いることで、温度によるＤＣ−ＤＣコンバータのスイッチング周波数のずれを無くしている。
【０００７】
また、特許文献２は、電源のＤＣ−ＤＣコンバータの高調波による受信装置への受信障害を回避することができる技術を開示している。この技術においては、マイクロコンピュータは、ＤＣ−ＤＣコンバータの現在の発振周波数（スイッチング周波数）を読み取り、受信部の最低受信周波数と最高受信周波数の間に発生し得るＤＣ−ＤＣコンバータの発振周波数のすべての高調波次数について高調波周波数を算出し、その周波数とＡＭ受信部が現在受信している受信周波数との差が予め決めた所定の周波数以上になるようにＤＣ−ＤＣコンバータの発振周波数を制御する。
【０００８】
【特許文献１】
特開２００２−３３５６７２号公報
【特許文献２】
特開２００５−３１８２２４号公報
【発明が解決しようとする課題】
【０００９】
しかしながら、上述した従来の技術では、温度変化によるＤＣ−ＤＣコンバータまたはＤＣ−ＡＣコンバータのスイッチング周波数の変動を減らすために、温度変化の少ない発振回路を採用し、または、ＤＣ−ＤＣコンバータまたはＤＣ−ＡＣコンバータのスイッチング周波数を直接測定して好ましいスイッチング周波数に変更する機能を採用しており、装置が高価且つ複雑になるという問題がある。
【００１０】
この発明は、上述した問題を解消するためになされたものであり、その課題は、簡単且つ安価な構成であるにも拘わらず、広い温度範囲において受信障害を回避することができる電源装置および受信装置を提供することにある。
【課題を解決するための手段】
【００１１】
この発明に係る受信装置は、放送を受信する受信部と、外部から入力された直流電圧を所定の発振周波数でスイッチングすることにより所定の電源電圧を生成して受信部に供給するコンバータと、コンバータの近傍の温度を検出する温度検出部と、受信部の受信周波数と温度検出部で検出された温度とに基づいて、コンバータの発振周波数を、該発振周波数の高調波ノイズが受信部の受信周波数に影響を及ぼさない周波数に変更するコントローラとを備えている。
【発明の効果】
【００１２】
この発明に係る受信装置によれば、温度検出部で検出されたコンバータの近傍の温度に基づき、受信部の受信周波数に影響を及ぼさないようにコンバータの発振周波数を制御するように構成したので、簡単且つ安価な構成であるにも拘わらず、広い温度範囲において受信障害を回避することができる。
【発明を実施するための最良の形態】
【００１３】
以下、この発明をより詳細に説明するために、この発明を実施するための最良の形態について、添付の図面に従って説明する。
なお、この発明のコンバータとしては、ＤＣ−ＤＣコンバータまたはＤＣ−ＡＣコンバータを用いることができるが、以下では、コンバータとしてＤＣ−ＤＣコンバータが使用される場合について説明する。
実施の形態１．
図１は、この発明の実施の形態１に係る電源装置を用いた受信装置の構成を示すブロック図である。この受信装置は、ＤＣ−ＤＣコンバータ１、ラジオ受信部２、温度検出部３およびコントローラ４から構成されている。
【００１４】
ＤＣ−ＤＣコンバータ１は、外部から供給される所定の直流電圧を他の直流電圧に変換し、直流電源としてラジオ受信部２に供給する。なお、ＤＣ−ＤＣコンバータ１は、ラジオ受信部２の電源に限らず、他の機器の電源として使用されるものであってもよい。このＤＣ−ＤＣコンバータ１の詳細は後述する。ラジオ受信部２は、ＤＣ−ＤＣコンバータ１から供給される直流電源によって動作し、ＡＭ放送を受信する。温度検出部３は、ＤＣ−ＤＣコンバータ１の近傍の温度を検出し、その検出結果をコントローラ４に送る。この温度検出部３の詳細は後述する。
【００１５】
コントローラ４は、例えばマイクロコンピュータから構成されており、温度検出部３で検出された温度とラジオ受信部２の受信周波数とに基づいて、ＤＣ−ＤＣコンバータ１の発振周波数（後述する半導体スイッチング素子Ｑのスイッチング周波数）を制御する。また、コントローラ４は、ラジオ受信部２の受信周波数の制御も行う。そのために、コントローラ４は、ラジオ受信部２の受信周波数を保持している。
【００１６】
次に、ＤＣ−ＤＣコンバータ１の詳細を、図２を参照しながら説明する。ＤＣ−ＤＣコンバータ１は、ＤＣ電圧入力端子１１、発振器１２、パルス幅変調器１３、半導体スイッチング素子Ｑ、ツェナーダイオードＺＤ、電流平滑コイルＬ、電圧平滑コンデンサＣおよびＤＣ電圧出力端子１４を備えている。
【００１７】
発振器１２は、発振周波数ｆ（ｔ）で発振する信号を生成し、パルス幅変調器１３に送る。パルス幅変調器１３は、発振器１２から送られてくる信号と、ＤＣ−ＤＣコンバータ１の出力電圧、つまりＤＣ電圧出力端子１４から出力される電圧とに基づいてパルス幅変調信号を生成し、半導体スイッチング素子Ｑに送る。
【００１８】
半導体スイッチング素子Ｑは、例えばＭＯＳＦＥＴから構成されており、パルス幅変調器１３からゲートに入力される発振周波数ｆ（ｔ）のパルス幅変調信号に応じてスイッチングする。これにより、ＤＣ電圧入力端子１１から半導体スイッチング素子Ｑのソースに入力された直流電圧は、発振周波数ｆ（ｔ）でスイッチングされ、ドレインからツェナーダイオードＺＤ、電流平滑コイルＬおよび電圧平滑コンデンサＣから構成されるフィルタに送られる。そして、このフィルタによって平滑化され、直流電圧としてＤＣ電圧出力端子１４から出力される。
【００１９】
上記のように構成されるＤＣ−ＤＣコンバータ１において、ＤＣ電圧出力端子１４から出力される電圧は、パルス幅変調器１３によって監視されており、パルス幅変調器１３は、ＤＣ電圧出力端子１４から出力される電圧の変動が発生した時は、パルス幅変調信号のパルス幅を変化させることにより半導体スイッチング素子Ｑのオン期間を変化させ、ＤＣ電圧出力端子１４から出力される電圧を一定に保つように制御する。
【００２０】
また、発振器１２には、その発振周波数を決める抵抗Ｒ１および抵抗Ｒ２が、スイッチＳＷを介して接続されている。コントローラ４は、スイッチＳＷを切り替えて抵抗Ｒ１または抵抗Ｒ２のいずれかを選択することにより、発振器１２の発振周波数ｆ（ｔ）を変えることができる。なお、以下では、抵抗Ｒ１および抵抗Ｒ２を、一般的に、抵抗Ｒｎ（ｎ＝１、２）と表すこともある。
【００２１】
図３は、ＤＣ−ＤＣコンバータ１の近傍の温度が２５℃の時の、発振器１２の発振周波数ｆ（ｔ）と発振器１２に接続される抵抗Ｒｎの抵抗値との関係の一例を示す。今、抵抗Ｒ１の抵抗値を６６ｋΩ、抵抗Ｒ２の抵抗値を６０ｋΩとすると、スイッチＳＷによって抵抗Ｒ１を選択することにより発振周波数ｆ（ｔ）を３８５ｋＨｚに設定することができ、スイッチＳＷによって抵抗Ｒ２を選択することにより発振周波数ｆ（ｔ）を４１５ｋＨｚに設定することができる。
【００２２】
発振器１２の発振周波数ｆ（ｔ）を３８５ｋＨｚに設定した時は、３８５ｋＨｚとその整数倍である７７０ｋＨｚ、１１５５ｋＨｚ、１５４０ｋＨｚ、・・・の高調波が発生する。同様に、発振周波数ｆ（ｔ）を４１５ｋＨｚに設定した時は、４１５ｋＨｚとその整数倍である８３０ｋＨｚ、１２４５ｋＨｚ、１６６０ｋＨｚ、・・・の高調波が発生する。
【００２３】
ここで、発振器１２が、水晶振動子のような基準発振子を用いずに、抵抗とコンデンサから成る安価なＲＣ発振器で構成されている場合、ＤＣ−ＤＣコンバータ１の近傍の温度によって発振周波数が変動する。図４は、発振器１２の発振周波数ｆ（ｔ）とＤＣ−ＤＣコンバータ１の近傍の温度の関係の一例を示す。図４に示すように、ＤＣ−ＤＣコンバータ１の近傍の温度が２５℃の時に発振周波数ｆ（ｔ）が３８５ｋＨｚであっても、近傍の温度が−２０℃に下がると発振周波数ｆ（ｔ）は３６９ｋＨｚに変化し、近傍の温度が８０℃に上がると３９４ｋＨｚに変化する。同様に、ＤＣ−ＤＣコンバータ１の近傍の温度が２５℃の時に発振周波数ｆ（ｔ）が４１５ｋＨｚであっても、近傍の温度が−２０℃に下がると発振周波数ｆ（ｔ）は４０４ｋＨｚに変化し、近傍の温度が８０℃に上がると、発振周波数ｆ（ｔ）は４２１ｋＨｚに変化する。
【００２４】
次に、温度検出部３の詳細を説明する。温度検出部３は、図２に示すように、ＤＣ電圧入力端子１５、分圧抵抗Ｒ３、サーミスタＴＨおよび温度検出結果を直流のアナログ電圧として出力する温度検出出力端子１６を備えている。外部からＤＣ電圧入力端子１５に印加された電圧は、グランド電位との間に接続された分圧抵抗Ｒ３とサーミスタＴＨとによって分圧され、その分圧された電圧が温度検出出力端子１６を介してコントローラ４に送られる。
【００２５】
サーミスタＴＨは、その温度が上がると抵抗値が下がり、その温度が下がると抵抗値が上がるという特性を有する。したがって、温度検出出力端子１６から出力される電圧は、図５に示すように、温度が上がると下がり、温度が下がると上がることになる。コントローラ４は、この温度検出出力端子１６から出力されるアナログの電圧を、図示しないＡ／Ｄ変換器でデジタルの電圧に変換して取得する。これにより、コントローラ４は、サーミスタＴＨの温度を知ることができる。また、サーミスタＴＨはＤＣ−ＤＣコンバータ１の近傍に配置されているので、コントローラ４は、間接的にＤＣ−ＤＣコンバータ１の近傍の温度を知ることができる。
【００２６】
次に、上記のように構成される、この発明の実施の形態１に係る受信装置の動作を説明する。以下では、ＡＭ放送の受信時にコントローラ４によって行われるＤＣ−ＤＣコンバータ１の発振周波数制御処理を、図６に示すフローチャートを参照しながら説明する。
【００２７】
発振周波数制御処理では、まず、ＤＣ−ＤＣコンバータ１の近傍の温度Ｔａが取得される（ステップＳＴ１）。すなわち、コントローラ４は、温度検出部３から出力されるアナログの電圧を、図示しないＡ／Ｄ変換器によってデジタルの電圧に変換する。そして、図５に示すような温度検出部３の出力電圧とサーミスタ温度との関係を示すテーブルを参照し、または、このテーブルと同等の特性を表す近似式を用いて温度Ｔａを求める。次いで、ラジオ受信部２の受信周波数Ｆａが取得される（ステップＳＴ２）。すなわち、コントローラ４は、自己の内部に保持しているラジオ受信部２の受信周波数Ｆａを取得する。次いで、変数ｎが「１」に設定される（ステップＳＴ３）。
【００２８】
次いで、温度がＴａであって、且つコントローラ４に接続されている抵抗Ｒｎ（抵抗Ｒ１または抵抗Ｒ２）が選択されたときのＤＣ−ＤＣコンバータ１の発振周波数ｆｎ（Ｔａ）が求められる（ステップＳＴ４）。すなわち、コントローラ４は、図３および図４に示す特性の関係を表すテーブルを参照し、または、このテーブルと同等の特性を表す近似式を用いて発振周波数ｆｎ（Ｔａ）を求める。
【００２９】
次いで、受信周波数Ｆａを発振周波数ｆｎ（Ｔａ）で除算した余りｆ１が求められる（ステップＳＴ５）。すなわち、コントローラ４は、発振周波数ｆｎ（Ｔａ）および受信周波数Ｆａをいずれも整数とし、「Ａ  ｍｏｄ  Ｂ」を「Ａ÷Ｂ」の余りを意味する式とすると、「Ｆａ  ｍｏｄ  ｆｎ（Ｔａ）」を求め、これを余りｆ１とする。次いで、発振周波数ｆｎ（Ｔａ）と余りｆ１との差の絶対値ｆ２が求められる（ステップＳＴ６）。すなわち、コントローラ４は、Ａの絶対値が｜Ａ｜で表されるとすると、「｜ｆｎ（Ｔａ）−ｆ１｜」を求め、これをｆ２とする。次いで、ｆ１とｆ２との小さい方のＦ（ｎ）が求められる（ステップＳＴ７）。すなわち、コントローラ４は、ＡおよびＢのうちの小さい方を選択する関数がＭｉｎ（Ａ，Ｂ）と記述されるとすると、Ｍｉｎ（ｆ１，ｆ２）を求め、これをＦ（ｎ）とする。
【００３０】
ステップＳＴ４で求められたＤＣ−ＤＣコンバータ１の発振周波数ｆｎ（Ｔａ）の整数倍の高調波周波数と受信周波数Ｆａの差の最小値は、ステップＳＴ５で求められたｆ１とステップＳＴ６で求められたｆ２のうちの小さい方であるので、ステップＳＴ７で求められたＦ（ｎ）は、ＤＣ−ＤＣコンバータ１の近傍の温度がＴａであって、コントローラ４に抵抗Ｒｎが接続された時の高調波周波数と受信周波数の最小周波数間隔を示すことになる。
【００３１】
次いで、変数ｎがインクリメント（ｎ＝ｎ＋１）され（ステップＳＴ８）、次いで、インクリメントされた変数ｎが「２」より大きいかどうかが調べられる（ステップＳＴ９）。このステップＳＴ９において、変数ｎが２より大きくない、つまり２以下であると判断された場合は、ＤＣ−ＤＣコンバータ１に接続された抵抗Ｒ２についてのＦ（ｎ）の計算が済んでいないことが認識され、シーケンスはステップＳＴ４に戻り、以下、上述した処理が繰り返される。一方、ステップＳＴ９において、変数ｎが２より大きいことが判断された場合は、ＤＣ−ＤＣコンバータ１に接続された抵抗Ｒ１および抵抗Ｒ２についてＦ（ｎ）の計算が済んだ旨が認識され、シーケンスはステップＳＴ１０に進む。
【００３２】
ステップＳＴ１０においては、変数Ｎｍａｘが「１」に設定される。次いで、変数ｍが「２」に設定される（ステップＳＴ１１）。次いで、ステップＳＴ７で求められたＦ（ｎ）について、Ｆ（Ｎｍａｘ）がＦ（ｍ）より小さいかどうかが調べられる（ステップＳＴ１２）。このステップＳＴ１２において、Ｆ（Ｎｍａｘ）がＦ（ｍ）より小さいことが判断されると、Ｎｍａｘがｍに置き換えられる（ステップＳＴ１３）。
【００３３】
一方、ステップＳＴ１２において、Ｆ（Ｎｍａｘ）がＦ（ｍ）より小さくないことが判断されると、ステップＳＴ１３の処理はスキップされる。次いで、変数ｍがインクリメント（ｍ＝ｍ＋１）される（ステップＳＴ１４）。次いで、変数ｍの値が「２」より大きいかどうかが調べられる（ステップＳＴ１５）。このステップＳＴ１５において、変数ｍが「２」以下であることが判断されると、シーケンスはステップＳＴ１２に戻り、上述した処理が繰り返される。一方、ステップＳＴ１４において、変数ｍが「２」より大きいことが判断されると、次いで、コントローラ４に接続された抵抗Ｒｎがｎ＝ＮｍａｘとなるようにスイッチＳＷが制御される（ステップＳＴ１６）。すなわち、ＤＣ−ＤＣコンバータ１の発振周波数の高調波成分と、ラジオ受信部２の受信周波数との周波数差が最大となるように抵抗Ｒ１または抵抗Ｒ２が選択される。以上により、発振周波数制御処理は終了する。
【００３４】
以上説明したように、この発明の実施の形態１に係る受信装置によれば、ＤＣ−ＤＣコンバータ１の発振周波数が温度によって変化しても、温度検出部３から得られたＤＣ−ＤＣコンバータ１の周辺の温度を用いて、ＤＣ−ＤＣコンバータ１の発振周波数の高調波周波数と、ラジオ受信部２の受信周波数との差が最大となるように、コントローラ４が抵抗Ｒ１または抵抗Ｒ２を選択してＤＣ−ＤＣコンバータ１の発振周波数を制御する。その結果、ＤＣ−ＤＣコンバータ１の発振周波数の高調波成分がラジオ受信部２に与える影響を回避できる。
【００３５】
また、自動車用機器など様々な近傍の温度条件下にさらされる機器においては、該機器を保護するために既に内部の温度を検出する機能を備えている機器も多い。そのため、ＤＣ−ＤＣコンバータ１の発振器１２に高価な部品を用いる必要も無く、少ない追加回路でＤＣ−ＤＣコンバータ１によるラジオ受信部２への受信障害を広い温度範囲で回避できる利点がある。
【００３６】
なお、上述した実施の形態１に係る受信装置では、スイッチＳＷで選択される抵抗Ｒｎの抵抗値が２種の場合について説明したが、スイッチＳＷによって３つ以上の抵抗値を選択するように構成することができる。この場合、図６のフローチャートに示すステップＳＴ９の判断を「ｎ＞（選択可能な抵抗の数）？」に変更し、ステップＳＴ１５の判断を「ｍ＞（選択可能な抵抗の数）？」に変更すればよい。
【００３７】
また、実施の形態１に係る受信装置は、ＡＭのラジオ放送を受信するものとして説明したが、この発明は、他の周波数帯の放送や他の変調方式の受信装置にも適用できる。
【００３８】
また、実施の形態１に係る受信装置の温度検出部３は、分圧抵抗Ｒ３とサーミスタＴＨとを直列に接続することにより構成したが、温度により電圧が変化する回路であれば、他の回路で構成することができる。また、温度検出部３の出力はアナログ電圧に限定されるものではなく、温度検出部３の検出温度を通信などによりコントローラ４に伝達するように構成することもできる。
【００３９】
また、実施の形態１に係る受信装置では、ラジオ受信部２の受信周波数はコントローラ４で制御されるものとしたが、ラジオ受信部２は、ＤＣ−ＤＣコンバータ１を有する機器以外に存在する場合もこの発明を適用できる。この場合、ラジオ受信部２の受信周波数は他の機器からの通信などによってコントローラ４に伝達するように構成できる。
【００４０】
この発明に係る受信装置に用いる電源装置は、ＤＣ−ＤＣコンバータまたはＤＣ−ＡＣコンバータの発振周波数が温度によって変化しても、温度検出部から取得したＤＣ−ＤＣコンバータまたはＤＣ−ＡＣコンバータの近傍の温度を利用することでＤＣ−ＤＣコンバータまたはＤＣ−ＡＣコンバータの発振周波数制御を行うことができる。したがって、ＤＣ−ＤＣコンバータまたはＤＣ−ＡＣコンバータを用いた受信機、またはＤＣ−ＤＣコンバータまたはＤＣ−ＡＣコンバータを内蔵し、且つラジオ受信部を内蔵しない機器であって、外部のラジオ受信機への高調波ノイズの影響を抑える必要のある機器に適用できる。
【００４１】
以上のように、この発明に係る電源装置および受信装置は、コンバータの近傍の温度に基づきコンバータの発振周波数を制御することで、簡単且つ安価な構成であるにも拘らず、広い温度範囲において受信障害を回避することができるようにしたので、所定の電源電圧を生成し、受信部に供給するコンバータを備えた自動車搭載ラジオ受信機などに用いるのに適している。
【図面の簡単な説明】
【００４２】
【図１】  この発明の実施の形態１に係る受信装置の構成を示すブロック図である。
【図２】  この発明の実施の形態１に係る受信装置を構成するＤＣ−ＤＣコンバータおよび温度検出部の詳細な構成を示す図である。
【図３】  この発明の実施の形態１に係る受信装置を構成するＤＣ−ＤＣコンバータに接続される抵抗値と発振周波数の関係を示す図である。
【図４】  この発明の実施の形態１に係る受信装置を構成するＤＣ−ＤＣコンバータの近傍の温度と発振周波数の関係を示す図である。
【図５】  この発明の実施の形態１に係る受信装置を構成する温度検出部の温度と出力電圧の関係を示す図である。
【図６】  この発明の実施の形態１に係る受信装置を構成するコントローラの制御を説明するためのフローチャートである。
【符号の説明】
【００４３】
１  ＤＣ−ＤＣコンバータ、２  ラジオ受信部、３  温度検出部、４  コントローラ、１１  ＤＣ電圧入力端子、１２  発振器、１３  パルス幅変調器、１４  ＤＣ電圧出力端子、１５  ＤＣ電圧入力端子、１６  温度検出出力端子、Ｑ  半導体スイッチング素子、ＺＤ  ツェナーダイオード、Ｌ  電流平滑用コイル、Ｃ  電圧平滑用コンデンサ、Ｒ１、Ｒ２  抵抗、Ｒ３  分圧抵抗、ＳＷ  スイッチ、ＴＨ  サーミスタ。
【図１】
0004818364.tif 000002
【図２】
0004818364.tif 000003
【図３】
0004818364.tif 000004
【図４】
0004818364.tif 000005
【図５】
0004818364.tif 000006
【図６】
0004818364.tif 000007